(57)【要約】【課題】トランシップ対象のコンテナを用いた荷役のシミュレーションを行うことのできる荷役シミュレーションシステムを提供する。【解決手段】荷役シミュレーションシステムが、荷役のシミュレーション時に、船から一旦コンテナを積み下ろし他の港へ再輸出するトランシップ対象のコンテナがあるか否かの入力を受け付け、トランシップ対象のコンテナの識別情報を受け付ける。また、トランシップ情報記憶部に予め格納されているトランシップ対象のコンテナのＩＤに、トランシップ対象のコンテナを再輸出の際に積む前記船の情報と、当該船の寄港地と、トランシップ対象のコンテナの数とを少なくとも含むトランシップ情報を対応付けて、トランシップ情報記憶部に書き込む。そして、そのトランシップ情報を用いてシミュレーション処理を行う。【選択図】図１
2011105463.tif 000002
【特許請求の範囲】
【請求項１】
船からのコンテナヤードへのコンテナの積み下ろし、または前記コンテナヤードから船への前記コンテナの積み込みを行うコンテナクレーンの稼働状況情報と、
前記コンテナヤードを走るトラックからの前記コンテナヤードへの前記コンテナの積み下ろし、または前記トラックへの前記コンテナの積み込みを行うヤードクレーンの稼働状況情報と、
前記トラックの走行状況情報と、
前記船のコンテナヤードの埠頭への接岸状況情報と、
前記船に積まれる前記コンテナの数と、
前記コンテナを配置する前記コンテナヤードの領域情報と、
を少なくとも用いて前記コンテナヤードの荷役のシミュレーションを行う荷役シミュレーションシステムであって、
前記荷役のシミュレーション時に、前記船から一旦コンテナを積み下ろし他の港へ再輸出するトランシップ対象の前記コンテナがあるか否かの入力を受け付けるトランシップ対象有無入力部と、
トランシップ対象のコンテナの識別情報を受け付けるトランシップ対象受付部と、
トランシップ情報記憶部に予め格納されている前記トランシップ対象のコンテナの識別情報に、前記トランシップ対象のコンテナを前記再輸出の際に積む前記船の情報と、当該船の寄港地と、前記トランシップ対象のコンテナの数とを少なくとも含むトランシップ情報を対応付けて、前記トランシップ情報記憶部に書き込むトランシップ情報付与部と、
を備えることを特徴とする荷役シミュレーションシステム。
【請求項２】
前記コンテナヤード内のコンテナ配置エリアが、輸入対象コンテナ配置エリア、輸出対象コンテナ配置エリア、トランシップ対象コンテナ配置エリアからなり、
前記トランシップ対象のコンテナを前記トランシップ対象コンテナ配置エリアに配置して、前記荷役のシミュレーションを行う
ことを特徴とする請求項１に記載の荷役シミュレーションシステム。
【請求項３】
船からのコンテナヤードへのコンテナの積み下ろし、または前記コンテナヤードから船への前記コンテナの積み込みを行うコンテナクレーンの稼働状況情報と、
前記コンテナヤードを走るトラックからの前記コンテナヤードへの前記コンテナの積み下ろし、または前記トラックへの前記コンテナの積み込みを行うヤードクレーンの稼働状況情報と、
前記トラックの走行状況情報と、
前記船のコンテナヤードの埠頭への接岸状況情報と、
前記船に積まれる前記コンテナの数と、
前記コンテナを配置する前記コンテナヤードの領域情報と、
を少なくとも用いて前記コンテナヤードの荷役のシミュレーションを行う荷役シミュレーションシステムの荷役シミュレーション方法であって、
トランシップ対象有無入力部が、前記荷役のシミュレーション時に、前記船から一旦コンテナを積み下ろし他の港へ再輸出するトランシップ対象の前記コンテナがあるか否かの入力を受け付け、
トランシップ対象受付部が、トランシップ対象のコンテナの識別情報を受け付け、
トランシップ情報付与部が、トランシップ情報記憶部に予め格納されている前記トランシップ対象のコンテナの識別情報に、前記トランシップ対象のコンテナを前記再輸出の際に積む前記船の情報と、当該船の寄港地と、前記トランシップ対象のコンテナの数とを少なくとも含むトランシップ情報を対応付けて、前記トランシップ情報記憶部に書き込む
ことを特徴とする荷役シミュレーション方法。
【請求項４】
前記コンテナヤード内のコンテナ配置エリアが、輸入対象コンテナ配置エリア、輸出対象コンテナ配置エリア、トランシップ対象コンテナ配置エリアからなり、
前記トランシップ対象のコンテナを前記トランシップ対象コンテナ配置エリアに配置して、前記荷役のシミュレーションを行う
ことを特徴とする請求項３に記載の荷役シミュレーション方法。
【請求項５】
船からのコンテナヤードへのコンテナの積み下ろし、または前記コンテナヤードから船への前記コンテナの積み込みを行うコンテナクレーンの稼働状況情報と、
前記コンテナヤードを走るトラックからの前記コンテナヤードへの前記コンテナの積み下ろし、または前記トラックへの前記コンテナの積み込みを行うヤードクレーンの稼働状況情報と、
前記トラックの走行状況情報と、
前記船のコンテナヤードの埠頭への接岸状況情報と、
前記船に積まれる前記コンテナの数と、
前記コンテナを配置する前記コンテナヤードの領域情報と、
を少なくとも用いて前記コンテナヤードの荷役のシミュレーションを行う荷役シミュレーションシステムのコンピュータを、
前記荷役のシミュレーション時に、前記船から一旦コンテナを積み下ろし他の港へ再輸出するトランシップ対象の前記コンテナがあるか否かの入力を受け付けるトランシップ対象有無入力手段、
トランシップ対象のコンテナの識別情報を受け付けるトランシップ対象受付手段、
トランシップ情報記憶部に予め格納されている前記トランシップ対象のコンテナの識別情報に、前記トランシップ対象のコンテナを前記再輸出の際に積む前記船の情報と、当該船の寄港地と、前記トランシップ対象のコンテナの数とを少なくとも含むトランシップ情報を対応付けて、前記トランシップ情報記憶部に書き込むトランシップ情報付与手段、
として機能させることを特徴とするプログラム。
【請求項６】
船からのコンテナヤードへのコンテナの積み下ろし、または前記コンテナヤードから船への前記コンテナの積み込みを行うコンテナクレーンと、
前記コンテナヤードを走るトラックからの前記コンテナヤードへの前記コンテナの積み下ろし、または前記トラックへの前記コンテナの積み込みを行うヤードクレーンと、が行う前記コンテナの荷役方法であって、
前記コンテナヤードが、輸入対象コンテナ配置エリア、輸出対象コンテナ配置エリア、トランシップ対象コンテナ配置エリアからなり、
前記コンテナクレーンおよび前記ヤードクレーンは、前記トランシップ対象のコンテナの荷役作業において、前記トランシップ対象コンテナ配置エリアを積み下ろし先または積み込み元のコンテナ配置エリアとして荷役作業を行う
ことを特徴とする荷役方法。
【発明の詳細な説明】
【技術分野】
【０００１】
本発明は、輸出入に利用されるコンテナの埠頭における荷役をシミュレーションする荷役シミュレーションシステムおよび荷役シミュレーション方法並びにそのプログラム、荷役方法に関する。
【背景技術】
【０００２】
埠頭などに設けられたコンテナターミナルにおける荷役作業は、船から地上であるコンテナヤードへコンテナを積み降ろす作業、コンテナヤードから船へコンテナを積み込む作業、コンテナヤードを走るトラックにコンテナヤードに配置されているコンテナを積み込む作業などがある。
【０００３】
そして、従来、コンテナターミナルにおけるコンテナを吊り上げるクレーンの作業効率を上げるため、または作業効率を把握するために、シミュレーション技術利用して、コンテナの荷役作業にかかる時間、たとえば１つの船からコンテナ全てを積み降ろして船の埠頭における滞留時間を算出することが行われている。そして、これに関連する技術が特許文献１に開示されている。
【先行技術文献】
【特許文献】
【０００４】
【特許文献１】特開２００５−７５５９２号公報
【発明の概要】
【発明が解決しようとする課題】
【０００５】
ここで、コンテナターミナルにおける荷役作業対象のコンテナは、船から積み降ろされる輸入コンテナ、船に積み込まれる輸出コンテナの他に、一旦船からコンテナヤードに降ろされてから、再度、他の船に積み込まれて他の寄港地へ輸出されるトランシップ対象のコンテナが存在する。ハブ港と呼ばれるコンテナターミナルではトランシップ対象のコンテナを扱う割合が高いため、クレーンの運用の検討や荷役作業等の生産性の評価の際には、トランシップ対象のコンテナを扱う作業を考慮することが望ましい。
【０００６】
そこでこの発明は、トランシップ対象のコンテナを用いた荷役のシミュレーションを行うことのできる荷役シミュレーションシステムおよび荷役シミュレーション方法並びにそのプログラム、また、トランシップ対象のコンテナを用いた荷役方法を提供することを目的としている。
【課題を解決するための手段】
【０００７】
上記目的を達成するために、本発明は、船からのコンテナヤードへのコンテナの積み下ろし、または前記コンテナヤードから船への前記コンテナの積み込みを行うコンテナクレーンの稼働状況情報と、前記コンテナヤードを走るトラックからの前記コンテナヤードへの前記コンテナの積み下ろし、または前記トラックへの前記コンテナの積み込みを行うヤードクレーンの稼働状況情報と、前記トラックの走行状況情報と、前記船のコンテナヤードの埠頭への接岸状況情報と、前記船に積まれる前記コンテナの数と、前記コンテナを配置する前記コンテナヤードの領域情報と、を少なくとも用いて前記コンテナヤードの荷役のシミュレーションを行う荷役シミュレーションシステムであって、前記荷役のシミュレーション時に、前記船から一旦コンテナを積み下ろし他の港へ再輸出するトランシップ対象の前記コンテナがあるか否かの入力を受け付けるトランシップ対象有無入力部と、トランシップ対象のコンテナの識別情報を受け付けるトランシップ対象受付部と、トランシップ情報記憶部に予め格納されている前記トランシップ対象のコンテナの識別情報に、前記トランシップ対象のコンテナを前記再輸出の際に積む前記船の情報と、当該船の寄港地と、前記トランシップ対象のコンテナの数とを少なくとも含むトランシップ情報を対応付けて、前記トランシップ情報記憶部に書き込むトランシップ情報付与部と、を備えることを特徴とする荷役シミュレーションシステムである。
【０００８】
また本発明は、前記コンテナヤード内のコンテナ配置エリアが、輸入対象コンテナ配置エリア、輸出対象コンテナ配置エリア、トランシップ対象コンテナ配置エリアからなり、前記トランシップ対象のコンテナを前記トランシップ対象コンテナ配置エリアに配置して、前記荷役のシミュレーションを行うことを特徴とする荷役シミュレーションシステムである。
【０００９】
また本発明は、船からのコンテナヤードへのコンテナの積み下ろし、または前記コンテナヤードから船への前記コンテナの積み込みを行うコンテナクレーンの稼働状況情報と、前記コンテナヤードを走るトラックからの前記コンテナヤードへの前記コンテナの積み下ろし、または前記トラックへの前記コンテナの積み込みを行うヤードクレーンの稼働状況情報と、前記トラックの走行状況情報と、前記船のコンテナヤードの埠頭への接岸状況情報と、前記船に積まれる前記コンテナの数と、前記コンテナを配置する前記コンテナヤードの領域情報と、を少なくとも用いて前記コンテナヤードの荷役のシミュレーションを行う荷役シミュレーションシステムの荷役シミュレーション方法であって、トランシップ対象有無入力部が、前記荷役のシミュレーション時に、前記船から一旦コンテナを積み下ろし他の港へ再輸出するトランシップ対象の前記コンテナがあるか否かの入力を受け付け、トランシップ対象受付部が、トランシップ対象のコンテナの識別情報を受け付け、トランシップ情報付与部が、トランシップ情報記憶部に予め格納されている前記トランシップ対象のコンテナの識別情報に、前記トランシップ対象のコンテナを前記再輸出の際に積む前記船の情報と、当該船の寄港地と、前記トランシップ対象のコンテナの数とを少なくとも含むトランシップ情報を対応付けて、前記トランシップ情報記憶部に書き込むことを特徴とする荷役シミュレーション方法である。
【００１０】
また本発明は、前記コンテナヤード内のコンテナ配置エリアが、輸入対象コンテナ配置エリア、輸出対象コンテナ配置エリア、トランシップ対象コンテナ配置エリアからなり、前記トランシップ対象のコンテナを前記トランシップ対象コンテナ配置エリアに配置して、前記荷役のシミュレーションを行うことを特徴とする荷役シミュレーション方法である。
【００１１】
また本発明は、船からのコンテナヤードへのコンテナの積み下ろし、または前記コンテナヤードから船への前記コンテナの積み込みを行うコンテナクレーンの稼働状況情報と、前記コンテナヤードを走るトラックからの前記コンテナヤードへの前記コンテナの積み下ろし、または前記トラックへの前記コンテナの積み込みを行うヤードクレーンの稼働状況情報と、前記トラックの走行状況情報と、前記船のコンテナヤードの埠頭への接岸状況情報と、前記船に積まれる前記コンテナの数と、前記コンテナを配置する前記コンテナヤードの領域情報と、を少なくとも用いて前記コンテナヤードの荷役のシミュレーションを行う荷役シミュレーションシステムのコンピュータを、前記荷役のシミュレーション時に、前記船から一旦コンテナを積み下ろし他の港へ再輸出するトランシップ対象の前記コンテナがあるか否かの入力を受け付けるトランシップ対象有無入力手段、トランシップ対象のコンテナの識別情報を受け付けるトランシップ対象受付手段、トランシップ情報記憶部に予め格納されている前記トランシップ対象のコンテナの識別情報に、前記トランシップ対象のコンテナを前記再輸出の際に積む前記船の情報と、当該船の寄港地と、前記トランシップ対象のコンテナの数とを少なくとも含むトランシップ情報を対応付けて、前記トランシップ情報記憶部に書き込むトランシップ情報付与手段、として機能させることを特徴とするプログラムである。
【００１２】
また本発明は、船からのコンテナヤードへのコンテナの積み下ろし、または前記コンテナヤードから船への前記コンテナの積み込みを行うコンテナクレーンと、前記コンテナヤードを走るトラックからの前記コンテナヤードへの前記コンテナの積み下ろし、または前記トラックへの前記コンテナの積み込みを行うヤードクレーンと、が行う前記コンテナの荷役方法であって、前記コンテナヤードが、輸入対象コンテナ配置エリア、輸出対象コンテナ配置エリア、トランシップ対象コンテナ配置エリアからなり、前記コンテナクレーンおよび前記ヤードクレーンは、前記トランシップ対象のコンテナの荷役作業において、前記トランシップ対象コンテナ配置エリアを積み下ろし先または積み込み元のコンテナ配置エリアとして荷役作業を行うことを特徴とする荷役方法である。
【発明の効果】
【００１３】
本発明によれば、トランシップ対象のコンテナを設定してシミュレーション処理を行うにあたり、輸入対象のコンテナのＩＤに、トランシップ対象であることを示す情報を付与して、処理を行うため、トランシップ対象のコンテナ用の新たなコンテナＩＤを利用せずに、荷役シミュレーションシステムおいて処理が可能となり、新たなコンテナＩＤの付与による情報量の増加を防ぎ、管理が容易になるとともに、処理負荷を軽減することも可能となる。
また、トランシップ対象のコンテナの数の変更や、コンテナ配置エリアの情報の変更が自由にできるため、トランシップ対象のコンテナ数や、コンテナ配置エリアの広さや位置に応じた、シミュレーションを行うことができる。
そして、トランシップ対象のコンテナを扱ったシミュレーションを行うことで、トランシップ対象のコンテナを扱うコンテナヤードにおける、クレーンの運用の検討や荷役作業等の生産性の評価を行うことができる。
また、トランシップ対象のコンテナを扱ったコンテナヤードにおける荷役方法を提供することができる。
【図面の簡単な説明】
【００１４】
【図１】荷役シミュレーションシステムの構成を示すブロック図である。
【図２】コンテナヤードにおけるコンテナ、クレーン、コンテナ船の配置を示す図である。
【図３】コンテナ配置エリアの詳細を示す図である。
【図４】コンテナ船におけるコンテナの積み込み状況を示す図である。
【図５】コンテナ船のＢＡＹごとのコンテナ配置数と、トランシップ情報の一部を示す図である。
【図６】荷役シミュレーションシステムの処理フローを示す図である。
【発明を実施するための形態】
【００１５】
以下、本発明の一実施形態による荷役シミュレーションシステムを図面を参照して説明する。
図１は同実施形態による荷役シミュレーションシステムの構成を示すブロック図である。
この図において、符号１００は荷役シミュレーションシステムである。当該荷役シミュレーションシステム１００は、シミュレーション処理部１、トランシップ対象有無入力部２、荷役情報入力部３、トランシップ対象受付部４、ヤード情報入力部５、荷役情報記憶部６、作業機器情報記憶部、トランシップ情報記憶部８、ヤード情報記憶部９、結果保存部１０、結果表示部１１を備えている。
【００１６】
シミュレーション処理部１は、荷役のシミュレーション処理を行う処理部である。
また、トランシップ対象有無入力部２は、トランシップ対象のコンテナの情報等を考慮してシミュレーションを行うか否かを示す情報を入力する処理部である。
荷役情報入力部３は、船の埠頭への接岸時刻やトラックがコンテナヤードのどの場所にいつ到着するか、船に積まれたコンテナやコンテナヤードに既に配置されているコンテナの詳細情報などを含む荷役情報を入力する処理部である。
トランシップ対象受付部４は、トランシップ対象となるコンテナの情報を受け付ける等の処理を行う。
ヤード情報入力部５は、コンテナヤードにおける輸入コンテナ配置エリア、輸出コンテナ配置エリア、トランシップ対象コンテナ配置エリアなどのヤード情報を入力する等の処理を行う処理部である。
荷役情報記憶部６は荷役情報を記憶する記憶部である。
作業機器情報記憶部７は、船からのコンテナヤードへのコンテナの積み下ろし、またはコンテナヤードから船へのコンテナの積み込み等を行うコンテナクレーンや、コンテナヤードを走るトラックからのコンテナヤードへのコンテナの積み下ろし、またはトラックへのコンテナの積み込み等を行うヤードクレーンの、コンテナヤードにおける位置や、移動速度、コンテナ搬送速度などの作業機器情報を記憶する記憶部である。
トランシップ情報記憶部はトランシップ情報を記憶する記憶部である。
ヤード情報記憶部はヤード情報を記憶する記憶部である。
【００１７】
図２はコンテナヤードにおけるコンテナ、クレーン、コンテナ船の配置を示す図である。
コンテナヤード２０は、埠頭などに設けられており、当該埠頭にコンテナ船１５が接岸する。コンテナ船１５に積まれているコンテナ３０は、コンテナクレーン４０によってトラック６０に積み込まれて、当該トラック６０がコンテナヤード２０を走行し、所定のコンテナ配置エリアに移動する。そしてトラック６０に積まれているコンテナ３０が、ヤードクレーン５０によってトラック６０から積み降ろされて、コンテナ配置エリア内に配置される。また、コンテナヤード２０の各コンテナ配置エリアに設置されているコンテナ３０をコンテナ船１５に積み込む場合には、積み込み対象のコンテナ３０をヤードクレーン５０がトラック６０に積み込み、トラック６０がコンテナクレーン４０の下に移動する。そしてコンテナクレーン４０がトラック６０に積まれているコンテナ３０を吊り上げて、コンテナ船１５へ積み込む。輸入用のコンテナの場合には、ゲート７０を通過してコンテナヤード２０に入ったトラック６０に、ヤードクレーン５０がコンテナ３０を積み込み、当該トラック６０がコンテナヤード２０を通過してコンテナヤード２０から出て行く。このように、コンテナクレーン４０、ヤードクレーン５０、トラック６０の動作によって、輸入、輸出用の各コンテナ３０がコンテナ船１５から所定のコンテナ配置エリアに設置され、またコンテナ船１５へ積み込まれる際の動作時間を、荷役シミュレーションシステム１００がシミュレーションし、コンテナ船１５の埠頭における滞留時間などを算出する。
【００１８】
図３は、コンテナ配置エリアの詳細を示す図である。
図２が示すように、コンテナ配置エリアは、コンテナヤードに複数設けられる。
そして、図３で示すエリアが、１つのコンテナ配置エリアである場合には、当該コンテナ配置エリア内に、輸入対象コンテナ配置エリア、輸出対象コンテナ配置エリア、トランシップ対象コンテナ配置エリアが設けられる。または図３で示すエリアがコンテナヤード２０全体を示すような場合には、当該コンテナヤード２０において、輸入対象コンテナを配置するコンテナ配置エリア、輸出対象コンテナを配置するコンテナ配置エリア、トランシップ対象コンテナを配置するコンテナ配置エリアがそれぞれ分散して設けられるようにしてもよい。
このようなコンテナ配置エリアを設けることにより、コンテナクレーンや、ヤードクレーンは、トランシップ対象のコンテナの荷役作業において、トランシップ対象コンテナ配置ヤードを積み下ろし先または積み込み元のコンテナ配置エリアとして荷役作業を行う。
【００１９】
図４はコンテナ船におけるコンテナの積み込み状況を示す図である。
この図が示すように、コンテナ船１５には、各コンテナ３０が、当該コンテナ船１５の横幅方向の列ごとに並べられる。当該各列はＢＡＹと呼ばれ、コンテナ３０に割り当てられたＢＡＹ番号によって、コンテナ船１５のどのＢＡＹの列に配置されるかが決定される。
【００２０】
図５はコンテナ船のＢＡＹごとのコンテナ配置数と、トランシップ情報の一部を示す図である。
この図が示すように、コンテナ船１５のＢＡＹごとのコンテナ配置数や、トランシップ情報が、船に積まれるコンテナや、既にコンテナヤード２０に配置されているコンテナの詳細情報として、荷役情報記憶部６やトランシップ情報記憶部８に記録される。図５で示している輸出入コンテナの数のデータは、コンテナ船１５のＢＡＹ、コンテナのサイズ（縦方向サイズ（２０フィート、４０フィート））ごとの、陸揚げ（積み下ろし）するコンテナ数、積み込むコンテナ数を示している。また図５で示しているトランシップ情報は、コンテナ船１５の船番と、寄港地と、積み込み個数が対応付けられていることを示している。
【００２１】
図６は荷役シミュレーションシステムの処理フローを示す図である。
次に、荷役シミュレーションシステム１００の処理フローについて説明する。
まず、荷役シミュレーション時に、トランシップ対象有無入力部２は、トランシップ対象のコンテナがあるかどうかの情報を、例えば、ユーザからの指示の情報を受け付けたり、設定ファイルに記録された情報を読み込むことにより検出し（ステップＳ１０１）、当該トランシップ対象のコンテナ有無の情報をシミュレーション処理部１に入力する。
【００２２】
ここで、トランシップ情報記憶部８は、トランシップ情報を記憶している。このトランシップ情報は、ユーザが作成したトランシップ情報の各項目を記録する設定ファイルを、トランシップ対象受付部４がメモリ等から読み込んでトランシップ情報記憶部８に格納してもよいし、トランシップ対象受付部４がシミュレーション処理部１から指示に基づいて新たに生成してトランシップ情報記憶部８に格納するようにしてもよい。トランシップ情報を新たに生成する場合とは、例えば、ステップＳ１０１における、シミュレーション処理部１におけるトランシップ対象のコンテナ有りの情報の入力に基づいて、シミュレーション処理部１がトランシップ対象受付部４へ、トランシップ情報の生成の指示を行う（ステップＳ１０２）。このときシミュレーション処理部１は、トランシップ対象のコンテナを積むコンテナ船１５の船番、寄港地、トランシップ対象のコンテナ数、を入力画面等からのユーザによる入力に基づいて受け付け、それら船番、寄港地、コンテナ数をトランシップ対象受付部４に通知する。
【００２３】
すると、トランシップ対象受付部４は、荷役情報記憶部６に既に記録されている荷役情報から、シミュレーション処理部１より受け付けたコンテナ数分のコンテナＩＤを読み取る（ステップＳ１０３）。つまり、荷役情報記憶部６には、コンテナ船１５から積み下ろしする荷役作業のシミュレーション用に備えて、予め、当該コンテナ船１５に積まれたコンテナ３０の各コンテナＩＤ、輸入対象であることを示す識別子、コンテナが積まれるコンテナ船１５の船番、等の情報を対応付けて記憶しており、この情報に基づいてシミュレーション処理部１はシミュレーションを行うこととなっている。従って、トランシップ対象受付部４は、荷役情報記憶部６に記録されている荷役情報から、トランシップ対象であるとして指定されたコンテナ数分のコンテナＩＤを読み取り、当該コンテナＩＤと、トランシップ対象であることを示す識別子とを対応付けた情報と、寄港地、トランシップのために積み込まれる船番などの情報を対応付けたトランシップ情報を生成し、トランシップ情報記憶部８へ格納する（ステップＳ１０４）。ユーザが作成する場合には、荷役情報に含まれるコンテナＩＤを用いて、トランシップ情報のための設定ファイルを作成する。これにより、トランシップ対象のコンテナ用の新たなコンテナＩＤを利用せずに、荷役シミュレーションシステム１００おいて処理が可能となり、新たなコンテナＩＤの付与による情報量の増加を防ぎ、管理が容易になるとともに、処理負荷を軽減することも可能となる。
【００２４】
そして、ユーザからの処理開始指示の入力、設定ファイルに記録された処理開始時刻の検出などに基づいて、シミュレーション処理部１がシミュレーション開始を検出する（ステップＳ１０５）。するとシミュレーション処理部１は、トランシップ対象有無入力部２から受け付けた情報（メモリ等に記録されている）に基づいて、トランシップ対象のコンテナの有無を判定する（ステップＳ１０６）。ここでトランシップ対象のコンテナ有りと判定した場合には、シミュレーション処理部１は、トランシップ情報記憶部８よりトランシップ情報を読み込む（ステップＳ１０７）。トランシップ情報は、上述したように、どの船番のコンテナ船１５に対して、どこの寄港地で積み下ろすコンテナを、何個積み込むかを示す情報や、各コンテナＩＤで示されるコンテナを、どの船番のコンテナ船１５に積み込むかを示す情報や、そのコンテナＩＤのコンテナをどの寄港地で積み下ろすからなどの情報を含んでいる。
【００２５】
そして、シミュレーション処理部１は、トランシップ対象コンテナ有りの場合、トランシップ情報記憶部８からトランシップ情報を読み込んだ後、さらに、荷役情報記憶部６から荷役情報を、ヤード情報記憶部９からヤード情報を、作業機器情報記憶部７から作業機器情報をそれぞれ読み込んで、それら読み込んだ情報に基づいてシミュレーション処理を行う。トランシップ情報に含まれるコンテナＩＤは、荷役情報に含まれるコンテナのうちの何れかのコンテナＩＤである。従って、シミュレーション処理部１は、輸入対象のコンテナのＩＤとトランシップ対象のコンテナＩＤとを比較（ステップＳ１０８）して、一致する場合には、輸入対象のコンテナＩＤで示されるコンテナを、トランシップ対象として判定する。そして、トランシップ対象と判定したコンテナのシミュレーションについては、コンテナヤード２０におけるコンテナ配置エリアのうち、トランシップ対象コンテナ配置エリアに配置するものとして処理を進める（ステップＳ１０９）。トランシップ対象で無い場合には、トランシップ対象以外のコンテナ配置エリアに配置するものとして処理を進める（ステップＳ１１０）。
【００２６】
なお、ヤード情報記憶部９に記録されているヤード情報は、例えばコンテナヤード２０の広さ情報（コンテナヤード２０が方形であれば縦横の長さ）、輸出対象コンテナ配置エリア、輸入対象コンテナ配置エリア、トランシップ対象コンテナ配置エリアの広さ情報（各コンテナ配置エリアが方形であれば縦横の長さ）、トラック６０がコンテナヤード２０を走行する走行軌道の長さ、などの情報である。そして、ヤード情報記憶部９に記録されているヤード情報はユーザが適宜変更することができる。この場合、ヤード情報入力部５が、ユーザからの変更情報を受け付ける。この変更情報には変更対象（コンテナヤード２０、コンテナ配置エリア）と、変更後の値（コンテナ配置エリアの変更後の縦横の長さ等）が含まれる。そして、ヤード情報入力部５は、変更情報に基づいてヤード情報記憶部９に記録されているヤード情報を書き換える。
【００２７】
シミュレーション処理部１は、シミュレーション処理を開始すると、荷役情報からコンテナ船１５の接岸時刻を検出し、当該時刻から、コンテナ船１５に積まれた全てのコンテナ３０が所定のコンテナ配置エリアに配置完了されて、コンテナ船１５が出航するまでの、埠頭における滞留時間を算出する。コンテナ船１５に積まれたコンテナ３０の数と、その数のコンテナＩＤを荷役情報から検出し、一つのコンテナ３０について、輸入対象、輸出対象、トランシップ対象のいずれであるかを判定する。なおコンテナ船１５に積まれているコンテナの場合、輸出対象には該当せず、輸入対象またはトランシップ対象のいずれかである。そして、トランシップ対象の場合には、トランシップ対象配置エリアまでのコンテナの移動時間を算出する。例えば、シミュレーション処理部１はコンテナがトランシップ対象である場合、トランシップ対象コンテナ配置エリアを特定する。そして、シミュレーション処理部１は、作業機器情報記憶部７に記録されている作業機器情報から、コンテナクレーン４０がトラック６０に積み込むまでの時間（トラック６０に積むことのできるコンテナ数によって変動）を取得し、またトラック６０が、特定したトランシップ対象コンテナ配置エリアまでに移動する時間を、トラック６０に割り当てられた速度、トラック６０のコンテナヤード２０におけるトランシップ対象コンテナ配置エリアまでの軌道に基づく距離によって算出する。また、シミュレーション処理部１は、トランシップ対象コンテナ配置エリアに到着したトラック６０から当該トラック６０に積まれた全てのコンテナを、積み上げて、トランシップ対象コンテナ配置エリアに積み下ろすまでの時刻を算出する。これらの時間を合計して、１つまたは複数のコンテナの所定のコンテナ配置エリアまでの時間を算出し、また、コンテナ船１５に詰まれた全てのコンテナ３０について同様の処理を繰り返して、コンテナ船１５に積まれた全てのコンテナ３０の荷役時間が計算される。コンテナ船１５には、輸入対象のコンテナと、トランシップ対象のコンテナの両方が積まれていても良く、シミュレーション処理部１は、コンテナクレーン４０やヤードクレーン５０の非稼働時間が最も短くなるように、どのクレーンを動作させるか、どのコンテナ配置エリアを配置するエリアと特定するかを決定する。そして、このような処理により、荷役作業の時間が算出され、またコンテナ船１５が出航にかかる時間（たとえば給油時間等）を加えての滞留時間を算出する。なお、シミュレーション処理部１が行うシミュレーション処理は公知の技術などを用いて行えばよい。シミュレーション処理部１は算出結果を結果保存部１０へ格納し、また結果表示部１１がその算出結果をモニタ等に表示する処理を行う。シミュレーション処理部１は、コンテナヤード２０からコンテナ船１５へ積み込む場合にも、コンテナＩＤを判定し、トランシップ対象の場合には、トランシップ対象コンテナ配置エリアからコンテナを移動させて、コンテナ船１５へ積み込むシミュレーションを行う。
【００２８】
以上の処理により、本実施形態による荷役シミュレーションシステム１００では、トランシップ対象のコンテナを設定してシミュレーション処理を行うにあたり、輸入対象のコンテナのＩＤに、トランシップ対象であることを示す情報を付与して、処理を行うため、トランシップ対象のコンテナ用の新たなコンテナＩＤを利用せずに、荷役シミュレーションシステム１００おいて処理が可能となり、新たなコンテナＩＤの付与による情報量の増加を防ぎ、管理が容易になるとともに、処理負荷を軽減することも可能となる。
また、本実施形態による荷役シミュレーションシステム１００では、トランシップ対象のコンテナの数の変更や、コンテナ配置エリアの情報の変更が自由にできるため、トランシップ対象のコンテナ数や、コンテナ配置エリアの広さや位置に応じた、シミュレーションを行うことができる。
そして、トランシップ対象のコンテナを扱ったシミュレーションを行うことで、トランシップ対象のコンテナを扱うコンテナヤードにおける、クレーンの運用の検討や荷役作業等の生産性の評価を行うことができる。
また、トランシップ対象のコンテナを扱ったコンテナヤードにおける荷役方法を提供することができる。
【００２９】
なお、上述の荷役シミュレーションシステムは内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３１】
１５・・・コンテナ船
２０・・・コンテナヤード
３０・・・コンテナ
４０・・・コンテナクレーン
５０・・・ヤードクレーン
６０・・・トラック
１００・・・荷役シミュレーションシステム
【図１】
2011105463.tif 000003
【図２】
2011105463.tif 000004
【図３】
2011105463.tif 000005
【図４】
2011105463.tif 000006
【図５】
2011105463.tif 000007
【図６】
2011105463.tif 000008